(57)【要約】      （修正有）【課題】スーパーマーケットなどにおてい精算を終えた品物の袋詰め作業を円滑に行うことができる袋支持具を提供する。【解決手段】精算を終えた品物を客に袋詰めさせるためのサッカー台２０に取り付けられる固定部材２と、その固定部材２に対しサッカー台２０上の袋詰め作業面２１に沿って３６０度の範囲で回動可能に支持した取付部材１０と、その取付部材１０に支持されてその取付部材１０の回動中心に対し直交する回動中心で袋巻きロール１７を回動可能に支持するための支持部材とを備えている。支持部材は取付部材１０の回動中心の周囲で複数配設する。【選択図】図１
0003180071.tif 000002
【実用新案登録請求の範囲】
【請求項１】
精算を終えた品物を客に袋詰めさせるためのサッカー台に取り付けられる固定部材と、その固定部材に対しサッカー台上の袋詰め作業面に沿って回動可能に支持した取付部材と、その取付部材に支持されてその取付部材の回動中心に対し直交する回動中心で袋巻きロールを回動可能に支持するための支持部材とを備えたことを特徴とする袋支持具。
【請求項２】
前記支持部材は、前記取付部材の回動中心の周囲で複数配設されていることを特徴とする請求項１に記載の袋支持具。
【請求項３】
前記取付部材は、その回動中心の周囲において３６０度の範囲で回動可能に支持されていることを特徴とする請求項１または請求項２に記載の袋支持具。
【請求項４】
前記取付部材は、前記支持部材に面する袋取出口を有していることを特徴とする請求項１〜３のうちいずれか一つの請求項に記載の袋支持具。
【請求項５】
前記固定部材は、サッカー台上の袋詰め作業面を区画する仕切板に挿着される二股状の脚部を有していることを特徴とする請求項１〜４のうちいずれか一つの請求項に記載の袋支持具。
【考案の詳細な説明】
【技術分野】
【０００１】
本考案は、スーパーマーケットなどにおいて、精算を終えた品物を客に袋詰めさせるためのサッカー台に取り付けられる袋支持具に関するものである。
【背景技術】
【０００２】
従来、例えば下記の特許文献１に示すような袋支持具においては、サッカー台上の袋詰め作業面に沿う回動中心で一つの袋巻きロールが回動可能に支持されている。
【先行技術文献】
【特許文献】
【０００３】
【特許文献１】特開２００１−１３１９１２号公報
【考案の概要】
【考案が解決しようとする課題】
【０００４】
このような袋支持具をサッカー台に取り付けた状態では、袋巻きロールから一枚の袋を取り出す向きが決まってしまうため、精算を終えた品物を持った客は、使用していない袋支持具を探して袋取出口に向き合う位置までわざわざ移動しなければならず、その移動時に他の客などに接触して袋詰め作業を円滑に行うことができなくなるおそれがあった。
【０００５】
本考案は、スーパーマーケットなどにおいて精算を終えた品物の袋詰め作業を円滑に行うことができる袋支持具を提供することを目的としている。
【課題を解決するための手段】
【０００６】
後記実施形態の図面（図１〜２）の符号を援用して本考案を説明する。
請求項１の考案にかかる袋支持具（１）は、精算を終えた品物を客に袋詰めさせるためのサッカー台（２０）に取り付けられる固定部材（２）と、その固定部材（２）に対しサッカー台（２０）上の袋詰め作業面（２１）に沿って回動可能に支持した取付部材（１０）と、その取付部材（１０）に支持されてその取付部材（１０）の回動中心（１１ａ）に対し直交する回動中心（１８ａ）で袋巻きロール（１７）を回動可能に支持するための支持部材（１５）とを備えている。
【０００７】
請求項１の考案では、客は使用していない袋支持具（１）を探して取付部材（１０）を回動させれば、サッカー台（２０）上で袋巻きロール（１７）の向きを変更することができるので、袋巻きロール（１７）に向き合う位置までわざわざ移動する必要がなくなって品物の袋詰め作業を円滑に行うことができる。
【０００８】
請求項１の考案を前提とする請求項２の考案において、前記支持部材（１５）は前記取付部材（１０）の回動中心（１１ａ）の周囲で複数配設されている。請求項２の考案では、サッカー台（２０）上で客は、複数の袋巻きロール（１７）を使用するばかりでなく、それらの向きを変更することができるので、品物の袋詰め作業をより一層円滑に行うことができる。
【０００９】
請求項１または請求項２の考案を前提とする請求項３の考案において、前記取付部材（１０）はその回動中心（１１ａ）の周囲で３６０度の範囲回動可能に支持されている。請求項３の考案では、サッカー台（２０）上で袋巻きロール（１７）の向きを３６０度の範囲で変更することができるので、品物の袋詰め作業をより一層円滑に行うことができる。
【００１０】
請求項１〜３のうちいずれか一つの請求項の考案を前提とする請求項４の考案において、前記取付部材（１０）は前記支持部材（１５）に面する袋取出口（１９）を有している。請求項４の考案では、サッカー台（２０）上で客は、袋巻きロール（１７）から袋取出口（１９）を通して袋を容易に取り出して、品物の袋詰め作業をより一層円滑に行うことができる。
【００１１】
請求項１〜４のうちいずれか一つの請求項の考案を前提とする請求項５の考案において、前記固定部材（２）は、サッカー台（２０）上の袋詰め作業面（２１）を区画する仕切板（２２）に挿着される二股状の脚部（３）を有している。請求項５の考案では、サッカー台（２０）上で袋詰め作業面（２１）を区画する仕切板（２２）に袋支持具（１）を容易に取り付けることができる。
【考案の効果】
【００１２】
本考案にかかる袋支持具（１）においては、スーパーマーケットなどで精算を終えた品物の袋詰め作業を円滑に行うことができる。
【図面の簡単な説明】
【００１３】
【図１】（ａ）は袋支持具を取り付けたサッカー台を概略的に示す斜視図であり、（ｂ）は同じく側面図である。
【図２】（ａ）は袋支持具のみを概略的に示す一部切欠き部分拡大側面図であり、（ｂ）は同じく部分拡大平面図である。
【考案を実施するための形態】
【００１４】
以下、本考案の一実施形態にかかる袋支持具について図１〜２を参照して説明する。
図１（ａ）（ｂ）に示す袋支持具１において、固定部材２は二股状の脚部３と回動支持部４とを備えている。図２（ａ）に示すように、二股状の脚部３は、相対向する両側板５と、その両側板５の上端部間に形成された上板６と、その両側板５及び上板６で囲まれた間隙７とを備えている。また、回動支持部４においては、両側板８と両側板８間の有底筒９とが脚部３の上板６上で取着されている。
【００１５】
図１（ａ）（ｂ）に示す袋支持具１において、取付部材１０は、図２（ａ）（ｂ）に示すように、前記回動支持部４の有底筒９に対し回動可能に挿嵌された支柱１１と、支柱１１の上端部に対し着脱可能に取着された台部１２と、台部１２上に取着された底板部１３と、底板部１３の左右両側に取着された側板部１４とを備えている。
【００１６】
図１（ａ）（ｂ）に示す袋支持具１において、図２（ａ）（ｂ）に示す支持部材１５は、前記取付部材１０の左右両側板部１４間の前後両側で左右両側板部１４に相対向して形成された軸受１６と、軸受１６に形成された溝１６ａに上方から着脱可能に挿入された支持棒１８とを備えている。支持棒１８は袋巻きロール１７の中心部に対し着脱可能に挿入されている。従って、前後の袋巻きロール１７は、有底筒９に対する支柱１１の回動中心１１ａに対し直交する回動中心１８ａで回動可能に支持される。前記取付部材１０において、左右両側板部１４間に架設された案内棒１９ａにより袋取出口１９が袋巻きロール１７に面して設けられている。
【００１７】
図１（ａ）（ｂ）に示すように、サッカー台２０上にはその袋詰め作業面２１を区画する仕切板２２が立設されている。前記袋支持具１において、固定部材２の二股状の脚部３を仕切板２２に挿着すると、仕切板２２が脚部３内の間隙７に嵌め込まれて両側板５が袋詰め作業面２１に載置されるとともに上板６が仕切板２２上に載置され、脚部３上で取付部材１０及び支持部材１５が固定部材２及び仕切板２２の上方へ立ち上がって保持される。取付部材１０の支柱１１の回動中心１１ａの周囲では、支持部材１５に支持された一対の袋巻きロール１７をその回動中心１１ａを中心とする３６０度の範囲で袋詰め作業面２１に沿って回動させることができるとともにその回動中心１１ａに対し直交する回動中心１８ａを中心として回動させることができる。
【００１８】
次に、袋支持具１の作用（使い方）について説明する。
精算を終えた品物を持った客は、サッカー台２０で使用していない袋支持具１を探し、その袋支持具１の付近で取付部材１０を支持部材１５とともに回動させ、袋取出口１９の向きを変更して自分に合わせ、袋取出口１９から袋巻きロール１７の袋を一枚ずつ引き出してミシン目で切って取り出す。
【００１９】
この実施形態は下記の効果を有する。
（１）  客は使用していない袋支持具１を探して取付部材１０を回動させれば、サッカー台２０上で袋巻きロール１７の向きを変更することができるので、袋巻きロール１７に向き合う位置までわざわざ移動する必要がなくなって品物の袋詰め作業を円滑に行うことができる。従って、スーパーマーケットなどで精算を終えた品物の袋詰め作業を円滑に行うことができる。
【００２０】
（２）  サッカー台２０上で客は、取付部材１０の回動中心１１ａの周囲に配設した複数の袋巻きロール１７を使用するばかりでなく、それらの向きを変更することができるので、品物の袋詰め作業をより一層円滑に行うことができる。
【００２１】
（３）  サッカー台２０上で客は、袋巻きロール１７の向きを３６０度の範囲で変更することができるので、品物の袋詰め作業をより一層円滑に行うことができる。
（４）  サッカー台２０上で袋詰め作業面２１を区画する仕切板２２に対し二股状の脚部３により袋支持具１を容易に取り付けることができる。
【００２２】
前記実施形態以外にも例えば下記のように構成してもよい。
・  取付部材１０の回動中心１１ａの周囲で一または三以上の袋巻きロール１７を支持部材１５により支持する。
【００２３】
・  サッカー台２０の形態に応じて取付部材１０の回動範囲を３６０度以外に例えば１８０度や９０度などに設定する。
・  サッカー台２０上で仕切板２２を省略し、固定部材２に重りを付けてサッカー台２０に載置する。
【符号の説明】
【００２４】
１…袋支持具、２…固定部材、３…脚部、１０…取付部材、１１ａ…取付部材の回動中心、１５…支持部材、１７…袋巻きロール、１８…支持棒、１８ａ…支持棒の回動中心、１９…袋取出口、２０…サッカー台、２１…袋詰め作業面、２２…仕切板。
【図１】
0003180071.tif 000003
【図２】
0003180071.tif 000004